(57)【要約】【課題】収納部及びガイドレール部材が火災発生時においても室外側と連通しないようにしたシャッター付サッシを提供する。【解決手段】上枠１０と下枠１１及び左右の縦枠１２，１２を枠組みしてなる枠体１を有し、上枠１０は扉体３を支持すると共に巻き上げて収納自在な収納部２を有し、左右の縦枠１２の室外側には扉体３の左右端部を案内するガイドレール部材１３が設けられ、収納部２は扉体３を巻回自在な巻き取り軸２３を支持する側面を有し、ガイドレール部材１３の上端部には、収納部２の側面との間に加熱発泡材４３が設けられる。【選択図】図５
2014070400.tif 000002
【特許請求の範囲】
【請求項１】
上枠と下枠及び左右の縦枠を枠組みしてなる枠体を有し、前記上枠は扉体を支持すると共に巻き上げて収納自在な収納部を有するシャッター付サッシにおいて、
前記左右の縦枠の室外側には前記扉体の左右端部を案内するガイドレール部材が設けられ、前記収納部は前記扉体を巻回自在な巻き取り軸を支持する側面を有し、
前記ガイドレール部材の上端部には、前記収納部の側面との間に加熱発泡材が設けられることを特徴とするシャッター付サッシ。
【請求項２】
前記収納部の側面には前記ガイドレール部材の上端部を納める下方凹状の切欠部が形成され、前記ガイドレール部材の上端面と前記切欠部の上端との間に空間部が形成され、前記加熱発泡材は前記空間部に臨むように配置されることを特徴とする請求項１記載のシャッター付サッシ。
【発明の詳細な説明】
【技術分野】
【０００１】
本発明は、建物開口部に設けられる枠体の上枠に巻回自在な扉体を納める収納部を設けたシャッター付サッシに関し、特に火災発生時に収納部の内外を閉塞して防火性能を高くしたシャッター付サッシに関する。
【背景技術】
【０００２】
建物開口部に設けられる枠体の上枠に巻回自在な扉体を納める収納部を設けたシャッター付サッシにおいて、高い防火性能を求められる場合がある。火災は、シャッター付サッシの室内側で発生する場合と室外側で発生する場合とがあるが、いずれの場合でも、シャッター付サッシによる室内外の遮蔽状態が維持されることが求められる。
【０００３】
シャッター付サッシの防火対策としては、収納部の室外側面に防火板を設け、建物開口部とサッシの枠体との間の隙間を塞ぐものがあった。このようなシャッター付サッシとして例えば特許文献１に挙げるようなものがある。
【先行技術文献】
【特許文献】
【０００４】
【特許文献１】特開平９−３２４３７号公報
【発明の概要】
【発明が解決しようとする課題】
【０００５】
シャッター付サッシの枠体を構成する縦枠には、扉体の左右端部を上下方向に案内するガイドレール部材が設けられる。ガイドレール部材の上端部は、収納部を構成する側壁の位置まで達している。ガイドレール部材は、縦枠に取付ける際に上側に持ち上げる必要があるため、収納部の側壁には下部に凹状の切欠部が形成されている。
【０００６】
ガイドレール部材を縦枠に取付けると、収納部の側壁に形成された切欠部の部分が開口した状態となるため、これを塞ぐように樹脂カバー及び金属製の裏板が取付けられる。しかし、火災発生時にシャッター付サッシが高温に晒されると、樹脂カバーは溶融して脱落し、金属製の裏板も変形するため、この部分に隙間を生じることとなる。収納部の側壁に隙間を生じると、そこから高温のガスが侵入し、収納部内に設けられた樹脂製の部品が溶け落ちてさらなる隙間を発生したり、あるいは室内側に火炎を露出させるといった問題を生じる可能性があった。また、この場合、ガイドレールの上端部が隙間を介して室外側に露出するため、ガイドレールの内部が室外側と連通し、ガイドレール内部を経て室内側までが連通して、シャッター付サッシによる遮蔽性能が低下する可能性もあった。
【０００７】
本発明は前記課題を鑑みてなされたものであり、収納部及びガイドレール部材が火災発生時においても室外側と連通しないようにしたシャッター付サッシを提供することを目的とする。
【課題を解決するための手段】
【０００８】
前記課題を解決するため、請求項１の発明に係るシャッター付サッシは、上枠と下枠及び左右の縦枠を枠組みしてなる枠体を有し、前記上枠は扉体を支持すると共に巻き上げて収納自在な収納部を有するシャッター付サッシにおいて、
前記左右の縦枠の室外側には前記扉体の左右端部を案内するガイドレール部材が設けられ、前記収納部は前記扉体を巻回自在な巻き取り軸を支持する側面を有し、
前記ガイドレール部材の上端部には、前記収納部の側面との間に加熱発泡材が設けられることを特徴として構成されている。
【０００９】
請求項１に係る発明によれば、火災発生時には加熱発泡材が発泡して体積が増加し、ガイドレール部材の上端部と収納部の側面との間を塞ぐことができる。
【００１０】
また、請求項２の発明に係るシャッター付サッシは、前記収納部の側面には前記ガイドレール部材の上端部を納める下方凹状の切欠部が形成され、前記ガイドレール部材の上端面と前記切欠部の上端との間に空間部が形成され、前記加熱発泡材は前記空間部に臨むように配置されることを特徴として構成されている。
【００１１】
請求項２に係る発明によれば、加熱発泡材が収納部の側面に形成された切欠部との間の空間部に臨んでいるので、火災発生時には空間部を確実に閉塞することができる。
【発明の効果】
【００１２】
本発明に係るシャッター付サッシによれば、火災発生時に加熱発泡材が発泡することによって、収納部が室外側と連通する隙間を塞ぎ、さらに、ガイドレール部材も上端部を閉塞して室外側と連通しないようにすることができる。
【図面の簡単な説明】
【００１３】
【図１】本実施形態におけるシャッター付サッシの縦断面図である。
【図２】本実施形態におけるシャッター付サッシの横断面図である。
【図３】図１のうち収納部付近の拡大図である。
【図４】収納部を構成する部品の分解斜視図である。
【図５】ガイドレール部材上端付近の分解斜視図である。
【図６】火災発生時における収納部付近拡大断面図である。
【発明を実施するための形態】
【００１４】
本発明の実施形態について図面に沿って詳細に説明する。図１には本実施形態におけるシャッター付サッシの縦断面図を、図２には本実施形態におけるシャッター付サッシの横断面図を、それぞれ示している。これら各図に示すように、本実施形態のシャッター付サッシは、箱状を有する収納部２を有する上枠１０と下枠１１及び左右の縦枠１２，１２を方形状に枠組みした枠体１を有してなるものであり、この枠体１が建物開口部の室外側部分に取付けられる。
【００１５】
収納部２は、上面２０と下面２１及び側面２２を有しており、側面２２には巻き取り軸２３が回動自在に取付けられていて、多数のスラット３０を上下方向に連結してなる扉体３を巻回可能としており、収納部２内に扉体３を収納可能となるように構成されている。扉体３は、収納部２の下部に形成された開口部２４から下方に引き出し自在となっている。なお、図１は扉体３を引き出して全閉とした状態を表している。
【００１６】
収納部２を有する上枠２０は、上面２０を構成する上側部材１５と、下面２１を構成する下側部材１６とを有し、収納部２はさらに、側面２２を構成する側面部材１８と、上側部材１５から収納部２の室外側面を構成するカバー部材１７を有している。
【００１７】
縦枠１２の室外側には、扉体３の左右端部を上下方向に案内するガイドレール部材１３が設けられている。ガイドレール部材１３は、扉体３の左右端部を飲み込む凹状の案内部１３ａを備え、案内部１３ａの室外側には室外中空部１３ｃを有している。室外中空部１３ｃ内にはスチール製のガイドレール補強材１３ｄが設けられている。また、ガイドレール部材１３が縦枠１２に取付けられることで、案内部１３ａの外周側及び室内側には室内中空部１３ｅが形成される。
【００１８】
扉体３の下端部には、ガイドレール部材１３間の略全長に渡る幅を有した幅木部材３１が設けられる。幅木部材３１は、面状に形成された室外面部３１ａの室外側に、逆Ｌ字状に突出する一体的な把手部３１ｂを有し、室外面部３１ａの室内側にはロックカバー材３３が設けられている。室外面部３１ａとロックカバー材３３に囲まれた領域には、扉体３が全閉となったときに幅木部材３１をロックするロック機構が納められる。
【００１９】
下枠２１の室外側部には、幅木部材３１を納めることができる凹状の溝部１１ａが形成されている。幅木部材３１を枠体１の下端部に配置することで、幅木部材３１が溝部１１ａに納められると共に、溝部１１ａを構成する下枠２１の室外側面１１ｂを、幅木部材３１の把手部３１ｂが跨いだ状態となる。
【００２０】
図３には、図１のうち収納部２付近の拡大図を示している。収納部２の開口部２４は、室内側の縁部が下側部材１６の室外端部によって構成され、室外側の縁部がカバー部材１７の下端部によって構成されている。開口部２４の室外側の縁部には、長手方向に沿ってモヘア部材２５が設けられ、扉体３の室外側面に当接している。
【００２１】
開口部２４の室外側の縁部となるカバー部材１７の内面下端部には、開口部２４の長手方向に沿って支持体４０が設けられている。支持体４０は、カバー部材１７の内面形状に略沿う外形状を有した断面中空状の基部４０ａを備え、基部４０ａの上方には傾斜面状の支持面４０ｂを有している。基部４０ａ内には、開口部２４の室外側縁部を補強するため開口補強材４１が設けられている。また、基部４０ａの室内側面には、前述のモヘア部材２５が固定され、支持面４０ｂには加熱発泡材４２が取付けられる。加熱発泡材４２は、シート状に形成され所定温度以上になると体積が数十倍に増加するものである。加熱発泡材４２は、支持面４０ｂに対してリベット止めにより固定されている。
【００２２】
支持体４０の支持面４０ｂは、室内側斜め上方に面する傾斜面状となっており、支持面４０ｂに固定される加熱発泡材４２も、同様に室内側斜め上方に面することとなり、扉体３の室外側面と対向する。
【００２３】
巻き取り軸２３に一端が固定されている扉体３は、巻き取り軸２３の室外側から垂下され、開口部２４から下方に伸びている。扉体３の室外側面と対向する加熱発泡材４２は、開口部２４近傍に配置されているから、扉体３の室外側面のうち開口部２４近傍の部分と対向する。
【００２４】
図４には、収納部２を構成する部品の分解斜視図を示している。この図では、カバー部材１７については省略している。収納部２は、室内側面を構成する背面部材１９と、両側の側面を構成する側面部材１８とを有し、側面部材１８間には前述の支持体４０が渡される。加熱発泡材４２は、支持体４０の長手方向略全長に渡って設けられる。
【００２５】
側面部材１８は、内面側に巻き取り軸２３を支持する軸支持部１８ａを有し、下端部から収納部２内に下面張出部１８ｂが張り出している。また、側面部材１８の下辺室外側部分は、凹状に切り欠かれた切欠部１８ｃが形成されている。側面部材１８はスチール製であり、支持体４０及び開口補強材４１は、側面部材１８に対してネジ止め固定される。
【００２６】
支持体４０のうち、支持面４０ｂを有する略Ｖ字状の部材は、開口補強材４１に対してネジ止め固定されている。したがって、支持面４０ｂはスチール製の開口補強材４１を介してスチール製の側面部材１８に対して固定されており、火災発生時に収納部２が高温に晒され、アルミ部材が軟化、溶融などしても、加熱発泡材４２を確実に保持しておくことができる。
【００２７】
図５には、ガイドレール部材１３上端付近の分解斜視図を示している。ガイドレール部材１３は、上端部が側面部材１８の切欠部１８ｃ下部に納められた状態となっており、ガイドレール部材１３と切欠部１８ｃの上端位置との間には隙間となる空間部１３ｂが形成されている。この部分を塞ぐため、側面部材１８に対しては金属製の裏板部材５０が取付けられ、さらに裏板部材５０を覆うように樹脂カバー体５１が取付けられる。
【００２８】
ガイドレール部材１３の上端部には、側面部材１８の切欠部１８ｃとの間に形成される空間部１３ｂに臨むように加熱発泡材４３が配置される。加熱発泡材４３は、リベット止めによりガイドレール部材１３に対して固定されている。
【００２９】
図６には、火災発生時における収納部２付近拡大断面図を示している。火災が発生してシャッター付サッシが高温に晒された場合、特に、室外側での火災によって高温に晒されると、開口部２４の室外側縁部と扉体３の室外側面との間には、大きな隙間があって収納部２の内外が連通しているため、室外側からの高温のガスが収納部２内に侵入する可能性がある。これに対し、図６に示すように、開口部２４近傍に設けられた加熱発泡材４２が発泡して体積が膨張することにより、支持体４０の支持面４０ｂから扉体３の室外側面までが加熱発泡材４２で充填され、開口部２４の室外側縁部と扉体３の室外側面との間の隙間が塞がれるので、収納部２内への高温のガスの侵入を防止することができる。
【００３０】
支持体４０及び加熱発泡材４２が高温になる過程において、加熱発泡材４２が支持面４０ｂから自重により脱落する可能性があるのに対し、支持面４０ｂが傾斜面状となっていることにより、これを防止することができる。また、支持面４０ｂが傾斜面状となっていることにより、扉体３が開閉する際に加熱発泡材４２が干渉しないようにすることもできる。
【００３１】
また、シャッター付サッシが高温に晒された場合、ガイドレール部材１３と側面部材１８の切欠部１８ｃとの間の空間部１３ｂを塞いでいる裏板部材５０は、熱によって変形し、樹脂カバー体５１も溶融して脱落するので、空間部１３ｂが収納部２内と連通する隙間となってしまう。これに対し、図６に示すように、ガイドレール部材１３の上端部に設けられた加熱発泡材４３が発泡して体積が膨張することにより、空間部１３ｂの隙間が塞がれるので、収納部２内への高温のガスの侵入を防止することができる。
【００３２】
このように、収納部２の下面２１に形成された開口部２４と扉体３の間に生じる隙間について、開口部２４の室外側縁部に扉体３の室外側面と対向する加熱発泡材４２を設けていることで、火災発生時に加熱発泡材４２が発泡することによって、収納部２が室外側と連通する隙間を塞ぐことができ、防火性能を高くすることができる。
【００３３】
また、収納部２の側面２２においてガイドレール部材１３の上端部との間に形成される空間部１３ｂについて、ガイドレール部材１３の上端部に加熱発泡材４３を設けていることで、火災発生時に加熱発泡材４３が発泡することによって、収納部２が室外側と連通する隙間を塞ぎ、さらに、ガイドレール部材１３の中空内部も室外側と連通しないように塞ぐことができる。特に、ガイドレール部材１３の中空内部は室内側とも連通しているので、室外側と連通しないように塞ぐことで防火性能を大きく向上させることができる。
【００３４】
以上、本発明の実施形態について説明したが、本発明の適用は本実施形態には限られず、その技術的思想の範囲内において様々に適用されうるものである。
【符号の説明】
【００３５】
１    枠体
２    収納部
３    扉体
１０    上枠
１１    下枠
１２    縦枠
１３    ガイドレール部材
１３ｂ  空間部
１７    カバー部材
１８    側面部材
１８ｃ  切欠部
１９    背面部材
２０    上面
２１    下面
２２    側面
２３    巻き取り軸
２４    開口部
３０    スラット
３１    幅木部材
４０    支持体
４０ｂ  支持面
４１    開口補強材
４２    加熱発泡材
４３    加熱発泡材
５０    裏板部材
５１    樹脂カバー体
【図１】
2014070400.tif 000003
【図２】
2014070400.tif 000004
【図３】
2014070400.tif 000005
【図４】
2014070400.tif 000006
【図５】
2014070400.tif 000007
【図６】
2014070400.tif 000008